(57)【要約】【課題】  複数の演奏者が並んで演奏する場合でも、いずれの演奏者も適切な高さの座板に腰掛けた状態で、楽器を演奏することができる楽器用椅子を提供する。【解決手段】楽器の演奏時に複数の演奏者が並んで座るための楽器用椅子１であって、脚部２と、この脚部２の上方に左右方向に並んだ状態で設けられ、複数の演奏者がそれぞれ座るための複数の座板３Ｌ、３Ｒと、脚部２と複数の座板３Ｌ、３Ｒの間に設けられ、複数の座板３Ｌ、３Ｒの少なくとも１つの高さを調整するための高さ調整機構４と、を備えている。【選択図】  図１
2006330219.tif 000002
【特許請求の範囲】
【請求項１】
楽器の演奏時に複数の演奏者が並んで座るための楽器用椅子であって、
脚部と、
この脚部の上方に左右方向に並んだ状態で設けられ、複数の演奏者がそれぞれ座るための複数の座板と、
前記脚部と前記複数の座板の間に設けられ、当該複数の座板の少なくとも１つの高さを調整するための高さ調整機構と、
を備えていることを特徴とする楽器用椅子。
【請求項２】
前記高さ調整機構は、
前記複数の座板を下方から支持し、当該複数の座板の全体の高さを調整する全体調整機構と、
前記複数の座板のうちの一部の座板を下方から支持し、当該一部の座板の高さをさらに調整する部分調整機構と、
を有していることを特徴とする請求項１に記載の楽器用椅子。
【発明の詳細な説明】
【技術分野】
【０００１】
本発明は、ピアノの連弾や演奏の指導などの際に用いられ、楽器の演奏時に複数の演奏者が並んで座るための楽器用椅子に関する。
【背景技術】
【０００２】
一般に、ピアノの演奏などの際には、演奏者が座る椅子として、いわゆる高低自在椅子が用いられている。高低自在椅子は、演奏者が適切な高さや姿勢で、鍵盤操作やペダル操作が行えるように、演奏者が腰掛ける座板の高さが、調整できるようになっている。
【０００３】
このような高低自在椅子として、例えば特許文献１に記載されたものが知られている。この高低自在椅子は、脚部と座板の間に、座板の高さを調整するための高さ調整機構を備えている。この高さ調整機構は、左右方向にスライド自在のスライドブロックと、このスライドブロックに連結されたＸリンクと、左右方向に延びるとともにスライドブロックに螺合した回転軸と、この回転軸の両端部に設けられた操作部などで構成されている。操作部を一方の方向に回すと、同方向に回転軸が回るとともにスライドブロックがスライドし、これに伴い、Ｘリンクは、その高さが高くなるように変化する。これにより、座板がＸリンクによって押し上げられ、上昇する。一方、操作部を上記と逆の方向に回すと、Ｘリンクの高さが低くなるように変化し、座板が下降する。以上により、座板の高さが調整される。
【０００４】
このように、従来の高低自在椅子では、座板全体を昇降させることによって、座板の高さが調整される。しかし、このような高低自在椅子を用い、例えば大人と子供のように、体格の異なる２人が座板に腰掛けて、ピアノの連弾を行ったり、演奏の指導を行ったりする場合、座板の高さを一方の演奏者に合わせると、他の演奏者にとっては不適切な高さの座板に腰掛けたまま、連弾や指導を行わなければならないことがある。もちろん、そのような不具合を回避するために、高低自在椅子を２つ並べ、それぞれの座板を各演奏者に適した高さに調整した状態で、連弾や指導を行うことは可能である。しかし、この場合には、高低自在椅子を２つ用意しなければならず、特に、一般家庭などでは不経済であり、現実的でない。
【０００５】
本発明は、以上のような課題を解決するためになされたものであり、複数の演奏者が並んで演奏する場合でも、いずれの演奏者も適切な高さの座板に腰掛けた状態で、楽器を演奏することができる楽器用椅子を提供することを目的とする。
【０００６】
【特許文献１】特開２００２−１０８７６号公報
【発明の開示】
【課題を解決するための手段】
【０００７】
上記の目的を達成するために、請求項１に係る発明は、楽器の演奏時に複数の演奏者が並んで座るための楽器用椅子であって、脚部と、この脚部の上方に左右方向に並んだ状態で設けられ、複数の演奏者がそれぞれ座るための複数の座板と、脚部と複数の座板の間に設けられ、複数の座板の少なくとも１つの高さを調整するための高さ調整機構と、を備えていることを特徴とする。
【０００８】
この構成によれば、脚部の上方に、複数の座板が左右方向に並んだ状態で設けられているので、複数の演奏者が、座板にそれぞれ腰掛け、並んで座ることができる。また、脚部と複数の座板の間に設けられた高さ調整機構によって、複数の座板の少なくとも１つの高さを調整することができる。したがって、各座板に腰掛ける演奏者の身長や座高などに応じて、座板の高さを適宜、調整することにより、互いに体格の異なる複数の演奏者が並んで演奏する場合でも、いずれの演奏者も適切な高さの座板に腰掛けた状態で、楽器を演奏することができる。
【０００９】
請求項２に係る発明は、請求項１に記載の楽器用椅子において、高さ調整機構は、複数の座板を下方から支持し、複数の座板の全体の高さを調整する全体調整機構と、複数の座板のうちの一部の座板を下方から支持し、一部の座板の高さをさらに調整する部分調整機構と、を有していることを特徴とする。
【００１０】
この構成によれば、高さ調整機構が、全体調整機構および部分調整機構を有しており、前者により、複数の座板全体の高さを一括して調整することができる一方、後者により、一部の座板の高さをさらに調整することができる。例えば、複数の座板が互いに同じ高さにある状態から、一部の座板以外の座板（以下、本欄において「他の座板」という）を第１の高さに上昇させるとともに、一部の座板をより高い第２の高さに上昇させるように、座板を調整する場合、全体調整機構によって、複数の座板全体を第１の高さに上昇させてから、部分調整機構によって、一部の座板のみを第２の高さに上昇させる。このように、座板の高さを調整する場合、一部の座板を、他の座板と一緒に後者の所望の高さに調整した後、さらに所望の高さに調整すればよいので、一部の座板および他の座板の高さを、それぞれの高さ調整機構によって互いに別々に調整する場合に比べて、座板の高さ調整を容易かつ迅速に行うことができる。
【発明を実施するための最良の形態】
【００１１】
以下、図面を参照しながら、本発明の好ましい実施形態を詳細に説明する。図１は、本発明の一実施形態による楽器用椅子を示している。この楽器用椅子（以下、単に「椅子」という）１は、ピアノの連弾や演奏の指導などの際に用いられる２人掛け用の高低自在椅子である。同図および図２に示すように、この椅子１は、脚部２と、その上方に配置された座板３と、脚部２と座板３の間に介在し、座板３の高さを調整するための高さ調整機構４とを備えている。脚部２は、４本の脚２ａ、２ａ、２ｂ、２ｂと、両前脚２ａ、２ａ間および両後脚２ｂ、２ｂ間にそれぞれ挟持・固定された前後２つの横材２ｃ、２ｃと、左右の前脚２ａと後脚２ｂの間にそれぞれ挟持・固定された左右２つの横材２ｄ、２ｄで構成されている。
【００１２】
座板３は、左右に並んだ２つの座板（以下、それぞれ「左座板３Ｌ」および「右座板３Ｒ」という）で構成され、左座板３Ｌの横幅が右座板３Ｒのそれよりも長く形成されている。両座板３Ｌ、３Ｒはいずれも、平面形状が矩形の枠状に形成されたベース５と、その上面に載置されたクッション６とを有している。より具体的には、左座板３Ｌでは、クッション６がベース５に固定され、一方、右座板３Ｒでは、ベース５の内側に、それよりも一回り小さくかつ高さの低い内ベース７が収容されていて、この内ベース７にクッション６が固定されている。
【００１３】
図２に示すように、高さ調整機構４は、両座板３Ｌ、３Ｒを一体にした状態で、座板３の全体の高さを調整する全体調整機構８と、右座板３Ｒの高さのみを調整する部分調整機構９とで構成されている。
【００１４】
図３は、高さ調整機構４のうち、全体調整機構８のみを拡大して示している。同図および図２に示すように、全体調整機構８は、座板３の下端部に設けられた回転軸１１と、この回転軸１１の回転に伴って座板３を昇降させる左右一対の昇降機構１２、１２と、座板３を下方から支持する左右一対の支持機構１３、１３とを有している。
【００１５】
回転軸１１は、座板３の前後方向の中央部に、座板３の横幅全体にわたって、左右方向に延びるように配置され、両座板３Ｌ、３Ｒの各ベース５に回転自在に支持されている。また、回転軸１１には、左右一対の雄ねじ部（図示せず）が形成されている。さらに、回転軸１１は、左座板３Ｌから左方に若干突出し、その突出した部分に、回転操作用の操作部１１ａが設けられている。
【００１６】
各昇降機構１２は、回転軸１１の上記雄ねじ部に螺合する雌ねじ部２１と、この雌ねじ部２１と脚部２とを連結する連結リンクバー２２と、この連結リンクバー２２と座板３とを連結する補助リンクバー２３などで構成されている。両昇降機構１２、１２の雌ねじ部２１、２１は、回転軸１１の両雄ねじ部にそれぞれ、互いに逆ねじの関係に螺合している。つまり、回転軸１１が一方の方向に回転すると、両雌ねじ部２１、２１が互いに離れるように、回転軸１１に沿って移動する一方、回転軸１１が上記と逆の方向に回転すると、両雌ねじ部２１、２１が互いに近づくように、回転軸１１に沿って移動する。
【００１７】
連結リンクバー２２は、比較的長尺の所定形状の一対のリンクバー２２ａ、２２ａが互いに重なり合いかつビス２４で固定されることで構成されており、先端部（回転軸１１側の端部）が、二股に形成され、上記雌ねじ部２１の前後に位置している。また、その二股の先端部は、雌ねじ部２１の内方側の端部に溶接などで固定された前後の連結部２５、２５を介して、雌ねじ部２１に回動自在に連結されている。一方、連結リンクバー２２の基端部は、脚部２の対応する左右一方の横材２ｄに取り付けられた連結金具（図示せず）を介して、回転軸１１の真下において、横材２ｄに回動自在に連結されている。
【００１８】
補助リンクバー２３は、所定形状に屈曲形成され、上記連結リンクバー２２のほぼ１／２の長さを有している。この補助リンクバー２３の先端部（連結リンクバー２２側の端部）は、連結リンクバー２２の一対のリンクバー２２ａ、２２ａに挟持された状態で、連結リンクバー２２の長さ方向のほぼ中央部に設けられた連結軸２６を介して、連結リンクバー２２に回動自在に連結されている。一方、補助リンクバー２３の基端部は、ベース５の対応する左右一方の側壁部に取り付けられた連結金具（図示せず）を介して、ベース５の回転軸１１付近に回動自在に連結されている。
【００１９】
一方、各支持機構１３は、脚部２の対応する左右一方の横材２ｄに固定された固定プレート３１と、ベース５の対応する左右一方の側壁部に固定された可動プレート３２と、両プレート３１、３２間に連結されたＸリンク３３とで構成されている。図３（ｃ）に示すように、両プレート３１、３２は、前後方向（同図の左右方向）に延びていて、後半部（同図の右半部）に前後方向に延びるガイド長孔３１ａ、３２ａがそれぞれ形成されている。
【００２０】
Ｘリンク３３は、２本のリンクバー３４、３５からなり、両リンクバー３４、３５の長さ方向の中央部間が、連結軸３６を介して、回動自在に連結されている。Ｘリンク３３の一方のリンクバー３４は、下端部が固定プレート３１に回動自在に連結されるとともに、上端部が、可動プレート３２のガイド長孔３２ａに沿ってスライド自在のスライダ３４ａを介して、可動プレート３２に回動自在に連結されている。また、他方のリンクバー３５は、下端部が、固定プレート３１のガイド長孔３１ａに沿ってスライド自在のスライダ３５ａを介して、固定プレート３１に回動自在に連結されるとともに、上端部が可動プレート３２に回動自在に連結されている。
【００２１】
以上のように構成された全体調整機構８により、座板３の全体の高さが次のように調整される。すなわち、左側の操作部１１ａを操作して、回転軸１１を一方の方向に回すと、回転軸１１に螺合した両昇降機構１２、１２の雌ねじ部２１、２１が互いに離れるように移動する。これにより、各昇降機構１２の連結リンクバー２２が基端部を中心として、立ち上がるように回動し、これに連動して、補助リンクバー２３が先端部を中心として、立ち上がるように回動する。その結果、座板３は、両昇降機構１２、１２によって押し上げられ、上昇する。また、これに伴い、左右の両支持機構１３、１３のＸリンク３３、３３では、一方のリンクバー３４の上端部が、可動プレート３２のガイド長孔３２ａに沿って、他方のリンクバー３５の上端部に近づくようにスライドするとともに、他方のリンクバー３５の下端部が、固定プレート３１のガイド長孔３１ａに沿って、一方のリンクバー３４の下端部に近づくようにスライドする。その結果、各Ｘリンク３３は、その高さが高くなるように変化する。
【００２２】
一方、回転軸１１を上記と逆の方向に回すと、両昇降機構１２、１２の雌ねじ部２１、２１が互いに近づくように移動する。これにより、各昇降機構１２の連結リンクバー２２および補助リンクバー２３、ならびに各支持機構１３のＸリンク３３が、上記と逆方向に移動することによって、座板３は下降する。以上により、座板３の高さが調整される。
【００２３】
次に、部分調整機構９について説明する。図４は、高さ調整機構４のうち、部分調整機構９のみを拡大して示している。同図および図２に示すように、部分調整機構９は、右座板３Ｒのベース５の前後の壁部５ａ、５ｂにそれぞれ固定された前後一対の固定プレート４１、４１と、上記ベース５内の内ベース７の前後の壁部７ａ、７ｂにそれぞれ固定された前後一対の可動プレート４２、４２と、固定プレート４１と可動プレート４２の間に連結された前後一対のＸリンク４３、４３と、両Ｘリンク４３、４３を回動自在に連結する連結軸４４と、両Ｘリンク４３、４３を連結するとともに、左右方向に移動自在の可動部４５と、この可動部４５を移動させるために回転される回転軸４６などで構成されている。
【００２４】
図４（ｂ）に示すように、各固定プレート４１および可動プレート４２の左半部には、左右方向に延びるガイド長孔４１ａ、４２ａがそれぞれ形成されている。また、同図（ａ）、（ｃ）に示すように、前後の両可動プレート４２、４２の間に、上記可動部４５が設けられている。この可動部４５は、回転軸４６に螺合する可動部本体４５ａと、この可動部本体４５ａから前方および後方にそれぞれ延び、両可動プレート４２のガイド長孔４２ａ、４２ａにそれぞれスライド自在に係合した前後一対のスライドロッド４５ｂ、４５ｂとで構成されている。
【００２５】
各Ｘリンク４３は、２本のリンクバー４７、４８からなり、両リンクバー４７、４８の長さ方向の中央部間が、上記連結軸４４を介して、回動自在に連結されている。図４（ｂ）に示すように、Ｘリンク４３の一方のリンクバー４７は、下端部が固定プレート４１に回動自在に連結されるとともに、上端部が、上記可動部４５のスライドロッド４５ｂを介して、可動プレート４２に回動自在に連結されている。また、他方のリンクバー４８は、下端部が、固定プレート４１のガイド長孔４１ａに沿ってスライド自在のスライダ４８ａを介して、固定プレート４１に回動自在に連結されるとともに、上端部が可動プレート４２に回動自在に連結されている。
【００２６】
回転軸４６は、右座板３Ｒの前後方向の中央部に、その右座板３Ｒの横幅全体にわたって、左右方向に延びるように配置され、内ベース７に回転自在に支持されている。回転軸４６には、雄ねじ部（図示せず）が形成され、その雄ねじ部に可動部４５の可動部本体４５ａが螺合している。また、回転軸４６は、右座板３Ｒから右方に若干突出し、その突出した部分に、回転操作用の操作部４６ａが設けられている。
【００２７】
以上のように構成された部分調整機構９により、右座板３Ｒの高さが次のように調整される。すなわち、右側の操作部４６ａを操作して、回転軸４６を一方の方向に回すと、可動部４５が回転軸４６に沿って右方に移動する。これに伴い、両Ｘリンク４３、４３では、一方のリンクバー４７の上端部が、可動プレート４２のガイド長孔４２ａに沿って、他方のリンクバー４８の上端部に近づくようにスライドするとともに、他方のリンクバー４８の下端部が、固定プレート４１のガイド長孔４１ａに沿って、一方のリンクバー４７の下端部に近づくようにスライドする。その結果、各Ｘリンク４３は、その高さが高くなるように変化し、可動プレート４２が固定された内ベース７、およびこれと一体の右座板３Ｒのクッション６が、両Ｘリンク４３、４３によって押し上げられ、上昇する。一方、回転軸４６を上記と逆の方向に回すと、可動部４５および各Ｘリンク４３が、上記と逆方向に移動することによって、右座板３Ｒのクッション６が下降する。以上により、右座板３Ｒ（クッション６）の高さが調整される。
【００２８】
次に、図５を参照して、座板３の高さ調整の一例を簡単に説明する。なお、同図では、便宜上、全体調整機構８および部分調整機構９については、回転軸１１、４６の外方の端部に設けられた操作部１１ａ、４６ａのみを図示するものとする。
【００２９】
図５（ａ）は、高さ調整前の椅子１を示している。この状態からまず、左側の操作部１１ａを一方の方向に回転させる。これにより、同図（ｂ）に示すように、座板３全体が全体調整機構８によって上昇、すなわち左座板３Ｌおよび右座板３Ｒが一体となって上昇する。次いで、右側の操作部４６ａを、一方の方向に回転させる。これにより、同図（ｃ）に示すように、右座板３Ｒのクッション６が部分調整機構９によって上昇する。以上により、座板３は、左座板３Ｌおよび右座板３Ｒの高さが段違いになるように調整される。
【００３０】
以上詳述したように、本実施形態の椅子１によれば、ピアノの連弾や演奏の指導など、ピアノを２人で演奏する際に、両演奏者は、左座板３Ｌおよび右座板３Ｒにそれぞれ腰掛け、並んで座ることができる。また、左座板３Ｌおよび右座板３Ｒの高さをそれぞれ調整できるので、それらにそれぞれ腰掛ける演奏者の身長や座高などに応じて、両座板３Ｌ、３Ｒの高さを適宜、調整することにより、両演奏者の体格が互いに異なる場合でも、いずれの演奏者も適切な高さの座板３Ｌ、３Ｒに腰掛けた状態で、ピアノを演奏することができる。さらに、座板３の上述した高さ調整の例示のように、両座板３Ｌ、３Ｒを段違いに調整する場合、両座板３Ｌ、３Ｒの高さを一括して調整してから、右座板３Ｒをさらに調整することができるので、両座板３Ｌ、３Ｒの高さを、それぞれの高さ調整機構によって互いに別々に調整する場合に比べて、座板３の高さ調整を容易かつ迅速に行うことができる。
【００３１】
なお、本発明は、説明した上記実施形態に限定されることなく、種々の態様で実施することができる。図６は、第１変形例の椅子５１を示している。この椅子５１は、左座板３Ｌが脚部２に固定されかつ右座板３Ｒの高さのみが調整可能になっている。具体的には、この椅子５１は、上記実施形態の椅子１に対し、全体調整機構８および内ベース７が省略されるとともに、部分調整機構９が、脚部２と右座板３Ｒの間に介装されている。なお、この部分調整機構９では、前後の固定プレート３１、３１が脚部２の前後の横材２ｃ、２ｃに固定され、かつ、前後の可動プレート３２、３２が、右座板３Ｒのベース５の前後の壁部５ａ、５ｂにそれぞれ固定されている。このように構成された椅子５１では、同図（ａ）に示す高さ調整前の状態から、操作部４６ａを回すことにより、同図（ｂ）に示すように、右座板３Ｒの高さを調整することができる。
【００３２】
また、図７は、第２変形例の椅子５２を示している。この椅子５２は、左座板３Ｌおよび右座板３Ｒの高さが、それぞれ別々に調整可能になっている。具体的には、この椅子５２は、上記第１変形例の椅子５１と同様に、部分調整機構９が脚部２と右座板３Ｒの間に介装され、これに加えて、部分調整機構９と同様の調整機構が、脚部２と左座板３Ｌの間にも介装されている。このように構成された椅子５２では、同図（ａ）に示す高さ調整前の状態から、左側の操作部４６ａを回すことで、同図（ｂ）に示すように、左座板３Ｌの高さを調整したり、同図（ｃ）に示すように、右側の操作部４６ａを回すことで、右座板３Ｒの高さを調整したりすることができる。
【００３３】
なお、上述した実施形態では、２人掛け用の椅子１、５１、５２を例示したが、本発明はこれに限定されるものではなく、３つ以上の座板を有し、３人以上で座ることが可能なベンチタイプの椅子に適用し、それらの座板の少なくとも１つを高さ調整できるようにすることも可能である。また、実施形態では、座板３を昇降させるために、リンク機構を用いたが、ガススプリングなどを利用して、座板３を昇降させるようにしてもよい。さらに、実施形態で示した椅子１、５１、５２の細部の構成などは、あくまで例示であり、本発明の趣旨の範囲内で適宜、変更することができる。
【図面の簡単な説明】
【００３４】
【図１】本発明の一実施形態による楽器用椅子を示す斜視図であり、（ａ）座板の高さ調整前の状態、（ｂ）座板の高さ調整後の状態を示す。
【図２】図１の楽器用椅子の座板の高さ調整機構を示す図であり、（ａ）平面図、（ｂ）ｂ−ｂ線の断面図、（ｃ）ｃ−ｃ線の断面図、（ｄ）ｄ−ｄ線の断面図である。
【図３】高さ調整機構のうちの全体調整機構のみを示す拡大図であり、（ａ）平面図、（ｂ）正面図、（ｃ）右側面図である。
【図４】高さ調整機構のうちの部分調整機構のみを示す拡大図であり、（ａ）平面図、（ｂ）正面図、（ｃ）右側面図である。
【図５】座板の高さ調整の手順を説明するための図であり、（ａ）高さ調整前の状態、（ｂ）座板全体を上昇させた状態、（ｃ）右座板をさらに上昇させた状態を示す。
【図６】第１変形例の椅子において、座板の高さ調整の手順を説明するための図であり、（ａ）高さ調整前の状態、（ｂ）右座板を上昇させた状態を示す。
【図７】第２変形例の椅子において、座板の高さ調整の手順を説明するための図であり、（ａ）高さ調整前の状態、（ｂ）左座板のみを上昇させた状態、（ｃ）右座板のみを上昇させた状態を示す。
【符号の説明】
【００３５】
１、５１、５２    楽器用椅子
２    脚部
３    座板
３Ｌ  左座板
３Ｒ  右座板
４    高さ調整機構
８    全体調整機構
９    部分調整機構
【図１】
2006330219.tif 000003
【図２】
2006330219.tif 000004
【図３】
2006330219.tif 000005
【図４】
2006330219.tif 000006
【図５】
2006330219.tif 000007
【図６】
2006330219.tif 000008
【図７】
2006330219.tif 000009